(57)【要約】【課題】伝送路の伝送状態に応じたより適切なタイミングでチャンネルスキャン処理を行うことができ、使い勝手の向上した放送受信装置を提供する。【解決手段】判別情報取得手段（時刻情報取得プログラム１３５ｂ、エリア情報取得プログラム１３５ｃ、天気情報取得プログラム１３５ｃ等）は、伝送路の伝送状態を判別するための判別情報を取得し、判断手段（判断プログラム１３５ｅ等）は、判別情報取得手段により取得された判別情報に基づいて伝送路の伝送状態が変化したか否かを判断し、検出手段（検出プログラム１３５ｆ等）は、判断手段により伝送路の伝送状態が変化したと判断された場合にオートスキャンを行って受信可能な放送信号のチャンネルを検出し、更新手段（更新プログラム１３５ｇ等）は、検出手段による検出結果に基づいて、記憶手段（チャンネルメモリ２３４ａ等）に記憶されたチャンネル情報を更新する。【選択図】図１
2008005410.tif 000002
【特許請求の範囲】
【請求項１】
放送信号を伝送する伝送路の所定の伝送状態別に、受信可能なチャンネル情報を記憶する記憶手段と、
前記所定の伝送状態別に、所定のチャンネルを記憶するチャンネル記憶手段と、
放送信号を伝送する伝送路の所定の伝送状態を判別するための判別情報を取得する判別情報取得手段と、
前記判別情報取得手段により取得された判別情報に基づいて、前記伝送路の伝送状態が変化したか否かを判断する判断手段と、
前記判断手段により前記伝送路の伝送状態が変化したと判断された場合に、前記チャンネル記憶手段に記憶された当該伝送路の伝送状態に対応する前記所定のチャンネルについてのみオートスキャンを行い、受信可能な放送信号のチャンネルを検出する検出手段と、
前記検出手段による検出結果に基づいて、前記記憶手段に記憶された当該伝送路の伝送状態に対応する前記チャンネル情報を更新する更新手段と、
を備え、
前記判別情報は、時刻情報、エリア情報及び天気情報を含み、
前記判断手段は、前記判別情報取得手段により取得された時刻情報に基づく時刻が、予め設定された時刻となった場合、前記判別情報取得手段により取得されたエリア情報に基づくエリアが、一のエリアから他のエリアとなった場合、前記判別情報取得手段により取得された天気情報に基づく天気が、一の天気から他の天気となった場合に、前記伝送路の伝送状態が変化したと判断することを特徴とする放送受信装置。
【請求項２】
受信可能なチャンネル情報を記憶する記憶手段と、
放送信号を伝送する伝送路の所定の伝送状態を判別するための判別情報を取得する判別情報取得手段と、
前記判別情報取得手段により取得された判別情報に基づいて、前記伝送路の伝送状態が変化したか否かを判断する判断手段と、
前記判断手段により前記伝送路の伝送状態が変化したと判断された場合に、オートスキャンを行い、受信可能な放送信号のチャンネルを検出する検出手段と、
前記検出手段による検出結果に基づいて、前記記憶手段に記憶された前記チャンネル情報を更新する更新手段と、
を備えることを特徴とする放送受信装置。
【請求項３】
放送信号を伝送する伝送路の所定の伝送状態別に、受信可能なチャンネル情報を対応付けて記憶する記憶手段と、
前記伝送路の所定の伝送状態を判別するための判別情報を取得する判別情報取得手段と、
前記判別情報取得手段により取得された判別情報に基づいて、前記伝送路の伝送状態が変化したか否かを判断する判断手段と、
前記判断手段により前記伝送路の伝送状態が変化したと判断された場合に、オートスキャンを行い、受信可能な放送信号のチャンネルを検出する検出手段と、
前記検出手段による検出結果に基づいて、前記記憶手段に記憶された当該伝送路の伝送状態に対応する前記チャンネル情報を更新する更新手段と、
を備えることを特徴とする放送受信装置。
【請求項４】
前記判別情報は時刻情報を含み、
前記判断手段は、前記判別情報取得手段により取得された時刻情報に基づく時刻が、予め設定された時刻となった場合に、前記伝送路の伝送状態が変化したと判断することを特徴とする請求項２又は３に記載の放送受信装置。
【請求項５】
前記判別情報はエリア情報を含み、
前記判断手段は、前記判別情報取得手段により取得されたエリア情報に基づくエリアが、一のエリアから他のエリアとなった場合に、前記伝送路の伝送状態が変化したと判断することを特徴とする請求項２〜４の何れか一項に記載の放送受信装置。
【請求項６】
前記判別情報は天気情報を含み、
前記判断手段は、前記判別情報取得手段により取得された天気情報に基づく天気が、一の天気から他の天気となった場合に、前記伝送路の伝送状態が変化したと判断することを特徴とする請求項２〜５の何れか一項に記載の放送受信装置。
【請求項７】
受信可能なチャンネル情報を記憶する記憶手段を備える放送受信装置におけるチャンネル情報の更新方法であって、
放送信号を伝送する伝送路の所定の伝送状態を判別するための判別情報を取得する判別情報取得ステップと、
前記判別情報取得ステップにより取得された判別情報に基づいて、前記伝送路の伝送状態が変化したか否かを判断する判断ステップと、
前記判断ステップにより前記伝送路の伝送状態が変化したと判断された場合に、オートスキャンを行い、受信可能な放送信号のチャンネルを検出する検出ステップと、
前記検出ステップによる検出結果に基づいて、前記記憶手段に記憶された前記チャンネル情報を更新する更新ステップと、
を備えることを特徴とする放送受信装置におけるチャンネル情報の更新方法。
【請求項８】
放送信号を伝送する伝送路の所定の伝送状態別に、受信可能なチャンネル情報を対応付けて記憶する記憶手段を備える放送受信装置におけるチャンネル情報の更新方法であって、
前記伝送路の所定の伝送状態を判別するための判別情報を取得する判別情報取得ステップと、
前記判別情報取得ステップにより取得された判別情報に基づいて、前記伝送路の伝送状態が変化したか否かを判断する判断ステップと、
前記判断ステップにより前記伝送路の伝送状態が変化したと判断された場合に、オートスキャンを行い、受信可能な放送信号のチャンネルを検出する検出ステップと、
前記検出ステップによる検出結果に基づいて、前記記憶手段に記憶された当該伝送路の伝送状態に対応する前記チャンネル情報を更新する更新ステップと、
を備えることを特徴とする放送受信装置におけるチャンネル情報の更新方法。
【発明の詳細な説明】
【技術分野】
【０００１】
本発明は、チャンネルスキャン機能を備えた放送受信装置及び放送受信装置におけるチャンネル情報の更新方法に関する。
【背景技術】
【０００２】
従来より、放送受信装置の購入時や引越し後等に、受信可能なチャンネルを自動検出する自動チャンネルスキャン機能を備えた放送受信装置が知られている（特許文献１、特許文献２参照）。この自動チャンネルスキャン処理では、チューナにチャンネルを順次選局させて放送信号の有無を検出し、放送信号が存在するチャンネルをそのチャンネルの周波数データと対応付けて、受信可能なチャンネルとしてチャンネルメモリに記憶させる処理が行われる。
【０００３】
また、例えば、特許文献３には、選局可能なチャンネルとして新たに検出されたチャンネルについて、新たな登録チャンネル情報をチャンネル情報テーブルに追加すると共に、既に選局可能なチャンネルとして登録されているチャンネルの登録チャンネル情報を保持することにより、過去に選局可能であったチャンネルが、新たに行われたチャンネルスキャンによって、選局できないチャンネルとして取り扱われることを防ぐことができるテレビジョン放送受信装置が開示されている。
【特許文献１】再公表特許Ｗ０９８／１５１１８号公報
【特許文献２】特開２００１−１６５２４号公報
【特許文献３】特開２００６−４１７５１号公報
【発明の開示】
【発明が解決しようとする課題】
【０００４】
ところで、テレビジョン放送信号の強度、即ち、伝送路の伝送状態は、時間帯、位置、天気等の影響を受けて変化する。そのため、時間帯や、位置、天気の状態に応じて受信可能なチャンネルと受信不可能なチャンネルとが異なる場合があり、上記特許文献１〜３の技術のように、伝送路の伝送状態が変化を考慮せずにチャンネルスキャン処理を行った場合には、チャンネルデータに登録されているにも関わらず放送信号を受信できないチャンネルが発生してしまうなど、使い勝手が悪いという問題があった。
【０００５】
本発明の課題は、伝送路の伝送状態に応じたより適切なタイミングでチャンネルスキャン処理を行うことができ、使い勝手の向上した放送受信装置及び放送受信装置におけるチャンネル情報の更新方法を提供することである。
【課題を解決するための手段】
【０００６】
上記課題を解決するため、請求項１に記載の発明は、放送信号を伝送する伝送路の所定の伝送状態別に、受信可能なチャンネル情報を記憶する記憶手段と、
前記所定の伝送状態別に、所定のチャンネルを記憶するチャンネル記憶手段と、
放送信号を伝送する伝送路の所定の伝送状態を判別するための判別情報を取得する判別情報取得手段と、
前記判別情報取得手段により取得された判別情報に基づいて、前記伝送路の伝送状態が変化したか否かを判断する判断手段と、
前記判断手段により前記伝送路の伝送状態が変化したと判断された場合に、前記チャンネル記憶手段に記憶された当該伝送路の伝送状態に対応する前記所定のチャンネルについてのみオートスキャンを行い、受信可能な放送信号のチャンネルを検出する検出手段と、
前記検出手段による検出結果に基づいて、前記記憶手段に記憶された当該伝送路の伝送状態に対応する前記チャンネル情報を更新する更新手段と、
を備え、
前記判別情報は、時刻情報、エリア情報及び天気情報を含み、
前記判断手段は、前記判別情報取得手段により取得された時刻情報に基づく時刻が、予め設定された時刻となった場合、前記判別情報取得手段により取得されたエリア情報に基づくエリアが、一のエリアから他のエリアとなった場合、前記判別情報取得手段により取得された天気情報に基づく天気が、一の天気から他の天気となった場合に、前記伝送路の伝送状態が変化したと判断することを特徴とする。
【０００７】
請求項２に記載の発明は、受信可能なチャンネル情報を記憶する記憶手段と、
放送信号を伝送する伝送路の所定の伝送状態を判別するための判別情報を取得する判別情報取得手段と、
前記判別情報取得手段により取得された判別情報に基づいて、前記伝送路の伝送状態が変化したか否かを判断する判断手段と、
前記判断手段により前記伝送路の伝送状態が変化したと判断された場合に、オートスキャンを行い、受信可能な放送信号のチャンネルを検出する検出手段と、
前記検出手段による検出結果に基づいて、前記記憶手段に記憶された前記チャンネル情報を更新する更新手段と、
を備えることを特徴とする。
【０００８】
請求項３に記載の発明は、放送信号を伝送する伝送路の所定の伝送状態別に、受信可能なチャンネル情報を対応付けて記憶する記憶手段と、
前記伝送路の所定の伝送状態を判別するための判別情報を取得する判別情報取得手段と、
前記判別情報取得手段により取得された判別情報に基づいて、前記伝送路の伝送状態が変化したか否かを判断する判断手段と、
前記判断手段により前記伝送路の伝送状態が変化したと判断された場合に、オートスキャンを行い、受信可能な放送信号のチャンネルを検出する検出手段と、
前記検出手段による検出結果に基づいて、前記記憶手段に記憶された当該伝送路の伝送状態に対応する前記チャンネル情報を更新する更新手段と、
を備えることを特徴とする。
【０００９】
請求項４に記載の発明は、請求項２又は３に記載の放送受信装置において、前記判別情報は時刻情報を含み、
前記判断手段は、前記判別情報取得手段により取得された時刻情報に基づく時刻が、予め設定された時刻となった場合に、前記伝送路の伝送状態が変化したと判断することを特徴とする。
【００１０】
請求項５に記載の発明は、請求項２〜４の何れか一項に記載の放送受信装置において、前記判別情報はエリア情報を含み、
前記判断手段は、前記判別情報取得手段により取得されたエリア情報に基づくエリアが、一のエリアから他のエリアとなった場合に、前記伝送路の伝送状態が変化したと判断することを特徴とする。
【００１１】
請求項６に記載の発明は，請求項２〜５の何れか一項に記載の放送受信装置において、前記判別情報は天気情報を含み、
前記判断手段は、前記判別情報取得手段により取得された天気情報に基づく天気が、一の天気から他の天気となった場合に、前記伝送路の伝送状態が変化したと判断することを特徴とする。
【００１２】
請求項７に記載の発明は、受信可能なチャンネル情報を記憶する記憶手段を備える放送受信装置におけるチャンネル情報の更新方法であって、
放送信号を伝送する伝送路の所定の伝送状態を判別するための判別情報を取得する判別情報取得ステップと、
前記判別情報取得ステップにより取得された判別情報に基づいて、前記伝送路の伝送状態が変化したか否かを判断する判断ステップと、
前記判断ステップにより前記伝送路の伝送状態が変化したと判断された場合に、オートスキャンを行い、受信可能な放送信号のチャンネルを検出する検出ステップと、
前記検出ステップによる検出結果に基づいて、前記記憶手段に記憶された前記チャンネル情報を更新する更新ステップと、
を備えることを特徴とする。
【００１３】
請求項８に記載の発明は、放送信号を伝送する伝送路の所定の伝送状態別に、受信可能なチャンネル情報を対応付けて記憶する記憶手段を備える放送受信装置におけるチャンネル情報の更新方法であって、
前記伝送路の所定の伝送状態を判別するための判別情報を取得する判別情報取得ステップと、
前記判別情報取得ステップにより取得された判別情報に基づいて、前記伝送路の伝送状態が変化したか否かを判断する判断ステップと、
前記判断ステップにより前記伝送路の伝送状態が変化したと判断された場合に、オートスキャンを行い、受信可能な放送信号のチャンネルを検出する検出ステップと、
前記検出ステップによる検出結果に基づいて、前記記憶手段に記憶された当該伝送路の伝送状態に対応する前記チャンネル情報を更新する更新ステップと、
を備えることを特徴とする。
【発明の効果】
【００１４】
請求項１に記載の発明によれば、記憶手段は、放送信号を伝送する伝送路の所定の伝送状態別に、受信可能なチャンネル情報を記憶し、チャンネル記憶手段は、所定の伝送状態別に、所定のチャンネルを記憶する。また、判別情報取得手段は、放送信号を伝送する伝送路の所定の伝送状態を判別するための判別情報を取得し、判断手段は、判別情報取得手段により取得された判別情報に基づいて、伝送路の伝送状態が変化したか否かを判断する。そして、検出手段は、判断手段により伝送路の伝送状態が変化したと判断された場合に、チャンネル記憶手段に記憶された当該伝送路の伝送状態に対応する所定のチャンネルについてのみオートスキャンを行い、受信可能な放送信号のチャンネルを検出し、更新手段は、検出手段による検出結果に基づいて、記憶手段に記憶された当該伝送路の伝送状態に対応するチャンネル情報を更新する。また、判別情報は、時刻情報、エリア情報及び天気情報を含み、判断手段は、判別情報取得手段により取得された時刻情報に基づく時刻が、予め設定された時刻となった場合、判別情報取得手段により取得されたエリア情報に基づくエリアが、一のエリアから他のエリアとなった場合、判別情報取得手段により取得された天気情報に基づく天気が、一の天気から他の天気となった場合に、伝送路の伝送状態が変化したと判断する。
従って、予め設定された時刻となった場合、一のエリアから他のエリアに位置することとなった場合、又は一の天気から他の天気となった場合にチャンネルスキャン処理を行うことにより、伝送路の伝送状態が変化したときのみチャンネルスキャン処理が行われることとなって、伝送路の伝送状態に応じたより適切なタイミングでチャンネルスキャン処理を行うことができ、使い勝手の向上した放送受信装置を提供することができる。また、例えば、受信が可能か否かが不確定なチャンネルについてのみチャンネルスキャン処理を行うことにより、チャンネルスキャンに要する時間を短縮することができることとなって、より効率的なチャンネルスキャン処理を行うことができる。
【００１５】
請求項２に記載の発明によれば、記憶手段は、受信可能なチャンネル情報を記憶し、判別情報取得手段は、放送信号を伝送する伝送路の所定の伝送状態を判別するための判別情報を取得し、判断手段は、判別情報取得手段により取得された判別情報に基づいて、伝送路の伝送状態が変化したか否かを判断する。そして、検出手段は、判断手段により伝送路の伝送状態が変化したと判断された場合に、オートスキャンを行い、受信可能な放送信号のチャンネルを検出し、更新手段は、検出手段による検出結果に基づいて、記憶手段に記憶されたチャンネル情報を更新する。
従って、伝送路の伝送状態が変化したときのみチャンネルスキャン処理が行われることとなって、伝送路の伝送状態に応じたより適切なタイミングでチャンネルスキャン処理を行うことができ、使い勝手の向上した放送受信装置を提供することができる。
【００１６】
請求項３に記載の発明によれば、記憶手段は、放送信号を伝送する伝送路の所定の伝送状態別に、受信可能なチャンネル情報を対応付けて記憶し、判別情報取得手段は、伝送路の所定の伝送状態を判別するための判別情報を取得し、判断手段は、判別情報取得手段により取得された判別情報に基づいて、伝送路の伝送状態が変化したか否かを判断する。そして、検出手段は、判断手段により伝送路の伝送状態が変化したと判断された場合に、オートスキャンを行い、受信可能な放送信号のチャンネルを検出し、更新手段は、検出手段による検出結果に基づいて、記憶手段に記憶された当該伝送路の伝送状態に対応するチャンネル情報を更新する。
従って、伝送路の伝送状態が変化したときのみチャンネルスキャン処理が行われることとなって、伝送路の伝送状態に応じたより適切なタイミングでチャンネルスキャン処理を行うことができ、使い勝手の向上した放送受信装置を提供することができる。
【００１７】
請求項４に記載の発明によれば、請求項２又は３に記載の発明の効果が得られるのは無論のこと、判別情報は時刻情報を含み、判断手段は、判別情報取得手段により取得された時刻情報に基づく時刻が、予め設定された時刻となった場合に、伝送路の伝送状態が変化したと判断する。
従って、予め設定された時刻となり伝送路の伝送状態が変化したときのみチャンネルスキャン処理を行われることとなって、伝送路の伝送状態に応じたより適切なタイミングでチャンネルスキャン処理を行うことが可能となる。
【００１８】
請求項５に記載の発明によれば、請求項２〜４の何れか一項に記載の発明の効果が得られるのは無論のこと、請求項判別情報はエリア情報を含み、判断手段は、判別情報取得手段により取得されたエリア情報に基づくエリアが、一のエリアから他のエリアとなった場合に、伝送路の伝送状態が変化したと判断する。
従って、一のエリアから他のエリアに位置することとなり伝送路の伝送状態が変化したときのみチャンネルスキャン処理を行われることとなって、伝送路の伝送状態に応じたより適切なチャンネルスキャン処理を行うことが可能となる。
【００１９】
請求項６に記載の発明によれば、請求項２〜５の何れか一項に記載の発明の効果が得られるのは無論のこと、判別情報は天気情報を含み、判断手段は、判断手段は、判別情報取得手段により取得された天気情報に基づく天気が、一の天気から他の天気となった場合に、伝送路の伝送状態が変化したと判断する。
従って、一の天気から他の天気となり伝送路の伝送状態が変化したときのみチャンネルスキャン処理を行われることとなって、伝送路の伝送状態に応じたより適切なチャンネルスキャン処理を行うことが可能となる。
【００２０】
請求項７に記載の発明によれば、受信可能なチャンネル情報を記憶する記憶手段を備える放送受信装置において、判別情報取得ステップにより、放送信号を伝送する伝送路の所定の伝送状態を判別するための判別情報が取得され、判断ステップにより、判別情報取得ステップにより取得された判別情報に基づいて、伝送路の伝送状態が変化したか否かが判断され、検出ステップにより、判断ステップにより伝送路の伝送状態が変化したと判断された場合に、オートスキャンを行い、受信可能な放送信号のチャンネルが検出され、更新ステップにより、検出ステップによる検出結果に基づいて、記憶手段に記憶された前記チャンネル情報が更新される。
従って、伝送路の伝送状態が変化したときのみチャンネルスキャン処理が行われることとなって、伝送路の伝送状態に応じたより適切なタイミングでチャンネルスキャン処理を行うことができる放送受信装置におけるチャンネル情報の更新方法を提供することができる。
【００２１】
放送信号を伝送する伝送路の所定の伝送状態別に、受信可能なチャンネル情報を対応付けて記憶する記憶手段を備える放送受信装置において、判別情報取得ステップにより、伝送路の所定の伝送状態を判別するための判別情報が取得され、判断ステップにより、判別情報取得ステップにより取得された判別情報に基づいて、前記伝送路の伝送状態が変化したか否かが判断され、検出ステップにより、判断ステップにより伝送路の伝送状態が変化したと判断された場合に、オートスキャンを行い、受信可能な放送信号のチャンネルが検出され、更新ステップにより、検出ステップによる検出結果に基づいて、記憶手段に記憶された当該伝送路の伝送状態に対応するチャンネル情報が更新される。
従って、伝送路の伝送状態が変化したときのみチャンネルスキャン処理が行われることとなって、伝送路の伝送状態に応じたより適切なタイミングでチャンネルスキャン処理を行うことができる放送受信装置におけるチャンネル情報の更新方法を提供することができる。
【発明を実施するための最良の形態】
【００２２】
以下、図面を参照して、本発明を実施するための最良の形態を詳細に説明する。なお、発明の範囲は、図示例に限定されない。
【００２３】
（実施形態１）
実施形態１では、放送受信装置として、テレビジョン放送番組の視聴を行うテレビジョン受像機１００について説明する。
本実施形態１におけるテレビジョン受像機１００は、チャンネルのオートスキャン機能を備えている。チャンネルのオートスキャン処理は、所定の周波数帯のチャンネルに順次チューナ３を切り替えて、各チャンネルの放送信号が受信可能であるか否かを自動的に検出する処理である。
しかしながら、伝送路の伝送状態は、時間帯、位置、天気等に応じて変化するため、時間帯や、位置、天気の状態に応じて受信可能なチャンネルが異なる場合がある。そこで、本テレビジョン受像機１００では、当該チャンネルスキャン処理を、時刻、エリア、天気の何れかが変化したとき、即ち、伝送路の伝送状態が変化したときにのみ行うことにより、より適切なタイミングでチャンネルスキャン処理を行うことができる。
また、本実施形態のテレビジョン受像機１００では、各時刻、各エリア、各天気において受信可能なチャンネル情報（すなわち、伝送路の伝送状態に応じたチャンネル情報）をそれぞれ個別に記憶しており、チャンネルスキャン処理において、当該チャンネルスキャン処理実行時における伝送路の伝送状態で受信可能か否かが不確定なチャンネルとして予め特定されたチャンネルのみを探索対象とすることにより、効率的なチャンネルスキャン処理を行うことができる。
【００２４】
図１は、本実施形態におけるテレビジョン受像機１００の要部構成を例示するブロック図である。
図１に示すように、本テレビジョン受像機１００は、ユーザが遠隔操作によって各種指示を入力するための入力手段としてのキー入力部１と、放送信号を受信するアンテナ２と、アンテナ２により受信された放送信号から所定のチャンネルの放送信号を選局するチューナ３と、チューナ３により選局された放送信号を復調する復調部４と、復調部４により復調された放送信号を複数のストリームに分離するＴＳデコーダ５と、ＴＳデコーダ５により分離された放送信号を復号するビデオデコーダ６及びオーディオデコーダ７と、ビデオデコーダ６により復号された映像信号に対して所定の処理を行う映像処理部８と、オーディオデコーダ７により復号された音声信号に対して所定の処理を行う音声処理部９と、映像処理部８により処理された映像信号にＯＳＤデータを付加するＯＳＤ回路１０と、映像処理部８により処理された映像信号を出力する表示部１１と、音声処理部９により処理された音声信号を出力する音声出力部１２と、テレビジョン受像機１００全体を統括制御する制御部１３と、を備えており、各部はバス１４により接続されている。
【００２５】
キー入力部１は、例えば、リモートコントローラ（以下、リモコン）等であり、複数のキーを備え、ユーザによるキーの押下操作に応じて、キー操作に対応する入力操作信号を制御部１３に対して出力する。
具体的には、キー入力部１は、チャンネルスキャン予約ボタン１ａを備え、ユーザによる当該チャンネルスキャン予約ボタン１ａの押下操作に応じて、チャンネルスキャンの予約を設定するための予約設定画面Ｇ１の表示を指示する入力操作信号を制御部１３に対して出力する。
【００２６】
アンテナ２は、例えば、屋外において所定の方向に向けて配置され、図示しないテレビジョン放送局等から発信される高周波（RF）のテレビジョン放送信号（RF信号）を受信する。
チューナ３は、例えば、図示は省略するが、高周波増幅回路と、局部発振回路及び混合回路から成る周波数変換回路と、を備えて構成されており、アンテナ２等により入力されたテレビジョン放送信号を、高周波増幅回路において増幅し、混合回路において局部発振回路から出力される局部発振信号と混合する。さらに、特定の周波数を選局するための制御部１３からの制御出力に応じて、特定周波数帯の中間周波信号（IF信号）を受信し、当該中間周波信号に所定の処理を行って復調部４に出力する。
当該チューナ３は、後述する検出プログラム１３５ｆの実行において、制御部１３からの  制御に基づいて、所定の周波数帯域において、何れのチャンネルの放送信号が受信可能であるかを検出するチャンネルスキャン処理を実行する。放送信号の受信の可否は、例えば、そのチャンネルの周波数に設定したときのＢＥＲ値（Bit Error Rate）を計測し、計測されたＢＥＲ値が所定の閾値より低い場合に、放送信号が受信可能と判断する。チューナ３による当該チャンネルスキャン処理の検出結果は制御部１３に対して出力される。
【００２７】
復調部４は、例えば、制御部１３からの指示に従って、チューナ３から出力された中間周波信号に対してデジタル復調や誤り訂正などの処理を実行し、トランスポートストリーム（TS）を生成して、ＴＳデコーダ５に出力する。
ＴＳデコーダ５は、復調部４から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等のデータストリームに分離するとともに、当該ビデオストリームをビデオデコーダ６に、オーディオストリームをオーディオデコーダ７に出力し、さらに、ＰＳＩ／ＳＩ等のデータストリームを制御部１３に供給する。
【００２８】
当該データストリームには、時刻情報、エリア情報、天気情報等の各種情報が含まれており、制御部１３による後述する時刻情報取得プログラム１３５ｂ、エリア情報取得プログラム１３５ｃ、天気情報取得プログラム１３５ｄの実行において、ＴＳデコーダ５から入力される当該データストリームから各種情報が抽出され、現在時刻、現在位置しているエリア、現在の天気が判別されることとなる。
【００２９】
ビデオデコーダ６は、ＴＳデコーダ５から入力されたビデオストリームを復号し、逆ＤＣＴ変換や動き補償制御等を行い、映像データを生成して映像処理部８に出力する。また、オーディオデコーダ７は、ＴＳデコーダ５から入力されたオーディオストリームを復号し、音声データを生成して音声処理部９に出力する。
映像処理部８は、ビデオデコーダ６から入力された映像データに対して、Ｄ／Ａ変換等の各種処理を施し、映像信号を生成する。また、音声処理部９は、オーディオデコーダ７から入力された音声データに対して、Ｄ／Ａ変換等の各種処理を施し、音声信号を生成する。生成された映像信号は表示部１１に出力され、音声信号は音声出力部１２に出力される。
ＯＳＤ回路１０は、制御部１３からの指示出力に応じて、ＲＯＭ１３５に格納された図示しないＯＳＤデータを映像処理部８から出力された映像信号に合成する処理を行う。
【００３０】
表示部１１は、例えば、ＬＣＤ（Liquid Crystal Display）、ＰＤＰ（Plasma Display Panel）等のディスプレイ１１ａを備え、映像処理部８から入力された映像信号に基づく映像を当該ディスプレイ１１ａに表示させる。
音声出力部１２、例えば、スピーカ１２ａ等を備え、音声処理部９から入力された音声信号に基づく音声を当該スピーカ１２ａにより出力させる。
【００３１】
制御部１３は、ＣＰＵ（Central Processing Unit）１３１、ＲＡＭ（Random Access Memory）１３２、計時部１３３、ＥＥＰＲＯＭ（Electronically Erasable and Programmable Read Only Memory）１３４、ＲＯＭ（Read Only Memory）１３５等を備えて構成されている。
【００３２】
ＣＰＵ１３１は、テレビジョン受像機１００の各部から入力された入力信号に応じて、ＲＯＭ１３５に格納された各種プログラムを実行するとともに、実行にかかるプログラムに基づく出力信号を各部に出力することにより、テレビジョン受像機１００の動作全般を統括制御する。
【００３３】
ＲＡＭ１３２は、ＣＰＵ１３１のワークエリアとして用いられ、ＣＰＵ１３１によって各種プログラムが実行される際に生じる処理結果や、入力されたデータ等を一時的に記憶する。
【００３４】
計時部１３３は、例えば、所定の計時回路を有するものであり、具体的には、現在時刻を計時する。計時部１３３は、ＣＰＵ１３１の制御に基づく所定のタイミングで、計時した現在時刻データをＣＰＵ１３１に対して出力する。
【００３５】
ＥＥＰＲＯＭ１３４は、例えば、書き換え可能な半導体メモリであり、具体的には、予約情報格納メモリ１３４１、時刻別チャンネルメモリ１３４２、エリア別チャンネルメモリ１３４３、天気別チャンネルメモリ１３４４等を備えている。
【００３６】
予約情報格納メモリ１３４１は、後述するチャンネルスキャン予約設定プログラム１３５ａの実行に際して表示部１１に表示される予約設定画面Ｇ１において、ユーザにより選択された項目（すなわち、「時刻」「エリア」「天気」等）を記憶し、さらに、「時刻」が選択された場合には、ユーザによりチャンネルスキャン処理を行う時刻として設定された時刻（例えば、第１の時刻、第２の時刻）を記憶する。
そして、予約設定画面Ｇ１におけるユーザの操作に基づいて予約情報格納メモリ１３４１に記憶された「時刻」「エリア」「天気」等の情報に基づいて、後述する時刻情報取得プログラム１３５ｂ、エリア情報取得プログラム１３５ｃ、天気情報取得プログラム１３５ｄのうち、何れか一又は複数のプログラムが実行されて、時刻情報、エリア情報又は天気情報等の判別情報が取得されることとなるとともに、後述する判断プログラム１３５ｅ、検出プログラム１３５ｆ、更新プログラム１３５ｇ等の実行において、ＣＰＵ１３１により適宜読み出されることとなる。
【００３７】
時刻別チャンネルメモリ１３４２は、例えば、時刻に応じて変化する伝送路の伝送状態別に、受信可能なチャンネル情報を記憶し、記憶手段として機能する。
具体的には、時刻別チャンネルメモリ１３４２は、例えば、第１時刻テーブル１３４２ａ及び第２時刻テーブル１３４２ｂの異なる２つの時刻に対応するテーブルを備えており、第１時刻テーブル１３４２ａは、第１の時刻（例えば、６：００）において受信可能なチャンネル情報を記憶し、第２時刻テーブル１３４２ｂは、第２の時刻（例えば、２０：００）において受信可能なチャンネル情報を記憶している。
当該時刻別チャンネルメモリ１３４２に備わる第１時刻テーブル１３４２ａ及び第２時刻テーブル１３４２ｂは、伝送路の伝送状態に対応づけられて設けられている。すなわち、伝送路の伝送状態は時刻によって変化するため、互いに異なる時刻に受信可能なチャンネル情報を複数のテーブルに記憶することにより、第１時刻テーブル１３４２ａ及び第２時刻テーブル１３４２ｂには、異なる伝送状態において受信可能なチャンネル情報が記憶されることとなる。
また、第１時刻テーブル１３４２ａ及び第２時刻テーブル１３４２ｂは、それぞれ、自らの時刻（伝送状態）において受信可能か否かが不確定なチャンネルとして予め特定された探索チャンネル（所定のチャンネル）を別個独立に記憶しており、チャンネル記憶手段として機能する。
【００３８】
エリア別チャンネルメモリ１３４３は、例えば、エリアに応じて変化する伝送路の伝送状態別に、受信可能なチャンネル情報を記憶し、記憶手段として機能する。
具体的には、エリア別チャンネルメモリ１３４３は、例えば、第１エリアテーブル１３４３ａ〜第８エリアテーブル１３４３ｈの８つのエリアに対応するテーブルを備えており、例えば、第１エリアテーブル１３４３ａは、第１のエリア（例えば、北海道地方）において受信可能なチャンネル情報を記憶し、第８エリアテーブル１３４３ｈは、第８のエリア（例えば、九州・沖縄地方）において受信可能なチャンネル情報を記憶している。
当該エリア別チャンネルメモリ１３４３に備わる第１エリアテーブル１３４３ａ〜第８エリアテーブル１３４３ｈは、伝送路の伝送状態に対応づけられて設けられている。すなわち、伝送路の伝送状態はエリアによって変化するため、互いに異なるエリアで受信可能なチャンネル情報を記憶することにより、第１エリアテーブル１３４３ａ〜第８エリアテーブル１３４３ｈには、それぞれ異なる伝送状態において受信可能なチャンネル情報が記憶されることとなる。
また、第１エリアテーブル１３４３ａ〜第８エリアテーブル１３４３ｈは、それぞれ、自らのエリア（伝送状態）において受信可能か否かが不確定なチャンネルとして予め特定された探索チャンネル（所定のチャンネル）を別個独立に記憶しており、チャンネル記憶手段として機能する。
【００３９】
天気別チャンネルメモリ１３４４は、例えば、天気に応じて変化する伝送路の伝送状態別に、受信可能なチャンネル情報を記憶し、記憶手段として機能する。
具体的には、天気別チャンネルメモリ１３４４は、第１天気テーブル１３４４ａ〜第４天気テーブル１３４４ｄの４つの天気に対応するテーブルを備えており、例えば、第１天気テーブル１３４４ａは、第１の天気（例えば、晴れ）の状態で受信可能なチャンネル情報を記憶し、第４天気テーブル１３４４ｄは、第４の天気（例えば、雨）の状態で受信可能なチャンネル情報を記憶している。
当該天気別チャンネルメモリ１３４４に備わる第１天気テーブル１３４４ａ〜第４天気テーブル１３４４ｄは、伝送路の伝送状態に対応づけられて設けられている。すなわち、伝送路の伝送状態は天気によって変化するため、互いに異なる天気の状態で受信可能なチャンネル情報を記憶することにより、第１天気テーブル１３４４ａ〜第４天気テーブル１３４４ｄには、それぞれ異なる伝送状態において受信可能なチャンネル情報が記憶されることとなる。
また、第１天気テーブル１３４４ａ〜第４天気テーブル１３４４ｄは、それぞれ、自らの天気（伝送状態）において受信可能か否かが不確定なチャンネルとして予め特定された探索チャンネル（所定のチャンネル）を別個独立に記憶しており、チャンネル記憶手段として機能する。
【００４０】
なお、上述した探索チャンネルは、後述する検出プログラム１３５ｆの実行におけるチャンネルスキャン処理において、探索の対象となるチャンネルである。当該探索チャンネルは、時刻別、エリア別、天気別の複数の伝送状態において、所定の周波数帯の全チャンネルを対象とするチャンネルスキャン処理が複数回ずつ行われることにより蓄積された情報に基づいて、「当該伝送状態において、受信可能か否かが不確定なチャンネル」として予め特定されたチャンネルである。具体的には、一の伝送状態で複数回行われたチャンネルスキャン処理において、受信可能となる場合と、受信不可能となる場合の両方の検出結果が得られたチャンネルが、当該伝送状態で受信可能か否かが不確定なチャンネルとして特定されることとなる。すなわち、チャンネルスキャン処理は、それぞれの伝送状態毎に必要十分な情報が蓄積されて探索チャンネルが特定されるまでは、全チャンネルを対象として行われることとなる。そして、探索チャンネルは、一旦特定されると、チャンネルスキャン処理における当該探索チャンネルの受信の可否に左右されることなく、別個独立に記憶されるチャンネルである。
【００４１】
図２は、例えば、時刻別チャンネルメモリ１３４２に備わる第１時刻テーブル１３４２ａ（図２（ａ））と、第２時刻テーブル１３４２ｂ（図２（ｂ））を例示する図である。
第１時刻テーブル１３４２ａ及び第２時刻テーブル１３４２ｂは、互いに異なる時刻において受信可能なチャンネル情報を記憶するテーブルであり、例えば、第１時刻テーブル１３４２ａは、第１の時刻（例えば、６：００）において受信可能なチャンネル情報を記憶し、第２時刻テーブル１３４２ｂは、第２の時刻（例えば、２０：００）において受信可能なチャンネル情報を記憶している。図２に示すように、第１時刻テーブル１３４２ａ及び第２時刻テーブル１３４２ｂは、放送番組のチャンネル（物理チャンネル）と、チャンネルスキャン処理により確定された当該チャンネルの周波数データとを対応付けて記憶しており、受信の可／不可を示す項目において、受信可能なチャンネルは受信「可」と記憶され、一方、受信不可能なチャンネルは受信「不可」と記憶されている。伝送路の伝送状態が第１の時刻よりも第２の時刻の方が良好である場合には、例えば、図２に示すように、第１の時刻で受信不可能であったチャンネル（例えば、「３」、「６」）が、第２の時刻では受信可能なチャンネルとして記憶される。
また、当該第１時刻テーブル１３４２ａ及び第２時刻テーブル１３４２ｂは、それぞれ、自らの時刻において受信可能か否かが不確定なチャンネルとして予め特定された探索チャンネルを別個独立に記憶しており、例えば、第１時刻テーブル１３４２ａでは探索チャンネルが記憶されておらず、第２時刻テーブル１３４２ｂでは、「３」、「５」、「６」のチャンネルが探索チャンネルとして記憶されている。すなわち、第１の時刻におけるチャンネルスキャン処理では受信可能なチャンネルの検出処理は行われず、第２の時刻におけるチャンネルスキャン処理では、「３」、「５」、「６」のチャンネルについてのみ検出処理が行われることとなる。
【００４２】
ＲＯＭ１３５は、ＣＰＵ１３１によって実行される各種データ処理プログラムの他、データ処理プログラムに係る各種初期設定値等を格納する。具体的には、ＲＯＭ１３５は、チャンネルスキャン予約設定プログラム１３５ａ、時刻情報取得プログラム１３５ｂ、エリア情報取得プログラム１３５ｃ、天気情報取得プログラム１３５ｄ、判断プログラム１３５ｅ、検出プログラム１３５ｆ、更新プログラム１３５ｇ、等の制御プログラムを格納している。
【００４３】
チャンネルスキャン予約設定プログラム１３５ａは、例えば、ＣＰＵ１３１に、チャンネルのオートスキャンの予約を設定する機能を実現させるためのプログラムである。
具体的には、ＣＰＵ１３１は、キー入力部１において、ユーザによる当該チャンネルスキャン予約ボタン１ａの押下操作に基づいて予約設定画面Ｇ１の表示を要求する入力操作信号が制御部１３に入力されると、予約設定画面Ｇ１を生成し、生成した予約設定画面Ｇ１を表示部１１のディスプレイ１１ａに表示させる。
図３は、当該チャンネルスキャン予約設定プログラム１３５ａの実行に際して、表示部１１に表示される予約設定画面Ｇ１を例示する図である。図３に示すように、予約設定画面Ｇ１では、「時刻」「エリア」「天気」の項目から一又は複数の項目を選択することにより、チャンネルスキャン処理を、時刻別、エリア別、或いは天気別に変化する伝送状態に応じて行う旨を予約設定する。さらに、「時刻」の項目は、チャンネルスキャン処理を行う時刻（例えば、第１の時刻、第２の時刻）を設定できるようになっている。ＣＰＵ１３１は、ユーザによるキー入力部１の操作により、「時刻」「エリア」「天気」の項目や、チャンネルスキャン処理を行う時刻が選択されると、これらのデータを予約情報格納メモリ１３４１に格納する。
また、図示は省略するものの、当該予約設定画面Ｇ１では、「エリア」の項目を選択すると、エリアの区分単位を「８地方単位」、「４７都道府県単位」、「市町村単位」の中から選択して設定できるようになっていても良く、ここでは「８地方単位」が選択され、８つのエリアに区分される場合について説明を行う。
【００４４】
時刻情報取得プログラム１３５ｂは、例えば、ＣＰＵ１３１に、時刻情報を取得させる機能を実現させるためのプログラムである。
具体的には、ＣＰＵ１３１は、予約設定画面Ｇ１において、ユーザにより「時刻」の項目が選択され、時刻別の伝送状態に応じてチャンネルスキャン処理を行う旨の予約設定がなされた場合に、計時部１３３により現在時刻を計時させ、現在時刻データを取得する。また、ＣＰＵ１３１は、データストリームに含まれる現在時刻データを取得しても良い。
ＣＰＵ１３１は、かかる時刻情報取得プログラム１３５ｂを実行することにより、時刻情報取得手段として機能する。
【００４５】
エリア情報取得プログラム１３５ｃは、例えば、ＣＰＵ１３１に、エリア情報を取得させる機能を実現させるためのプログラムである。
具体的には、ＣＰＵ１３１は、予約設定画面Ｇ１において、ユーザにより「エリア」の項目が選択され、エリア別の伝送状態に応じてチャンネルスキャン処理を行う旨の予約設定がなされた場合に、所定のタイミングで（例えば、６０秒毎に）、データストリームに含まれる現在のエリア情報を取得する。また、ＣＰＵ１３１は、図示しないＧＰＳ（Global Positioning System）受信部により受信されるＧＰＳ情報から、エリア情報を取得しても良い。
ＣＰＵ１３１は、かかるエリア情報取得プログラム１３５ｃを実行することにより、判別情報取得手段として機能する。
【００４６】
天気情報取得プログラム１３５ｄは、例えば、ＣＰＵ１３１に、天気情報を取得させる機能を実現させるためのプログラムである。
具体的には、ＣＰＵ１３１は、予約設定画面Ｇ１において、ユーザにより「天気」の項目が選択され、天気別の伝送状態に応じてチャンネルスキャン処理を行う旨の予約設定がなされた場合に、所定のタイミングで（例えば、５分毎に）、データストリームに含まれる現在の天気情報を取得する。ＣＰＵ１３１は、メニュー画面等において予めユーザにより選択されたエリアや、ユーザにより入力された住所、郵便番号、電話番号等の住所情報に基づいて、現在位置しているエリアを判別して、現在のエリアにおける天気情報を取得する。また、ＣＰＵ１３１は、ＧＰＳ情報から取得したエリア情報に基づいて、現在のエリアの天気情報を取得しても良い。
ＣＰＵ１３１は、かかる天気情報取得プログラム１３５ｄを実行することにより、判別情報取得手段として機能する。
【００４７】
判断プログラム１３５ｅは、例えば、ＣＰＵ１３１に、時刻情報取得プログラム１３５ｂ、エリア情報取得プログラム１３５ｃ又は天気情報取得プログラム１３５ｄの実行により取得された判別情報に基づいて、放送信号を伝送する伝送路の伝送状態が変化したか否かを判断する機能を実現させるためのプログラムである。当該判別情報は、例えば、時刻情報、エリア情報、天気情報であり、ＣＰＵ１３１は、時刻情報取得プログラム１３５ｂの実行により取得された時刻情報に基づく時刻が予め設定された時刻となった場合、又は、エリア情報取得プログラム１３５ｃの実行により取得されたエリア情報に基づくエリアが一のエリアから他のエリアとなった場合、又は、天気情報取得プログラム１３５ｄの実行により取得された天気情報に基づく天気が一の天気から他の天気となった場合に、伝送路の伝送状態が変化したと判断する。
ＣＰＵ１３１は、かかる判断プログラム１３５ｅを実行することにより、判断手段を構成する。
【００４８】
当該判断プログラム１３５ｅにおけるＣＰＵ１３１の処理について、より具体的に説明する。
例えば、予約設定画面Ｇ１において、ユーザにより「時刻」の項目が選択され、時刻別の伝送状態に応じてチャンネルスキャン処理を行う旨の予約設定がなされた場合、ＣＰＵ１３１は、時刻情報取得プログラム１３５ｂの実行により取得された時刻情報に基づく現在時刻が、予め設定された時刻となった場合に、伝送状態が変化したと判断する。
ここで、予め設定された時刻とは、例えば、チャンネルスキャン予約設定プログラム１３５ａの実行に際して表示部１１に表示された予約設定画面Ｇ１においてユーザにより設定されたチャンネルスキャンを行う時刻（例えば、第１の時刻及び第２の時刻）であり、例えば、第１の時刻としての６：００と、第２の時刻としての２０：００である（図３参照）。すなわち、ＣＰＵ１３１は、時刻情報取得プログラム１３５ｂの実行により現在時刻を検出すると、現在時刻が６：００或いは２０：００であるか否かを判別し、現在時刻が６：００或いは２０：００でないと判別した場合に伝送状態が変化していないと判断し、一方、現在時刻が６：００或いは２０：００であると判別した場合に伝送状態が変化したと判断する。
【００４９】
また、例えば、予約設定画面Ｇ１において、ユーザにより「エリア」の項目が選択され、エリア別の伝送状態に応じてチャンネルスキャン処理を行う旨の予約設定がなされた場合、ＣＰＵ１３１は、エリア情報取得プログラム１３５ｃの実行により取得されたエリア情報に基づく現在のエリアが、一のエリアから他のエリアとなった場合に、伝送状態が変化したと判断する。
ここで、一のエリアから他のエリアとなった場合とは、例えば、現在のエリアが、前回のチャンネルスキャン処理が行われたエリアと異なるエリアとなった場合を指している。すなわち、ＣＰＵ１３１は、エリア情報取得プログラム１３５ｃの実行により取得されたエリア情報に基づいて現在のエリア（例えば、近畿地方）を検出すると、現在のエリアが、前回のチャンネルスキャン実行時のエリアと異なるか否かを判別し、現在のエリアが前回のチャンネルスキャン実行時のエリアと同じであると判別した場合に伝送状態が変化していないと判断し、一方、現在のエリアが前回のチャンネルスキャン実行時のエリア（例えば、中部地方）と異なると判別した場合に伝送状態が変化したと判断する。
【００５０】
また、例えば、予約設定画面Ｇ１において、ユーザにより「天気」の項目が選択され、天気別の伝送状態に応じてチャンネルスキャン処理を行う旨の予約設定がなされた場合、ＣＰＵ１３１は、天気情報取得プログラム１３５ｄの実行により取得された天気情報に基づく現在の天気が、一の天気から他の天気となった場合に、伝送状態が変化したと判断する。
ここで、一の天気から他の天気となった場合とは、例えば、現在の天気が、前回のチャンネルスキャン処理実行時の天気と異なる天気となった場合を指している。すなわち、ＣＰＵ１３１は、天気情報取得プログラム１３５ｄの実行により取得された天気情報に基づいて現在の天気（例えば、晴れ）を検出すると、現在の天気が、前回のチャンネルスキャン実行時の天気状態と異なるか否かを判別し、現在の天気が前回のチャンネルスキャン実行時の天気と同じであると判別した場合に伝送状態が変化していないと判断し、一方、現在の天気が前回のチャンネルスキャン実行時の天気（例えば、雨）と異なると判別した場合に伝送状態が変化したと判断する。
【００５１】
検出プログラム１３５ｆは、例えば、ＣＰＵ１３１に、判断プログラム１３５ｅの実行により伝送状態が変化したと判断された場合に、チャンネルのオートスキャン処理を行い、受信可能な放送信号のチャンネルを検出する機能を実現させるためのプログラムである。当該チャンネルのオートスキャン処理において、ＣＰＵ１３１は、時刻別チャンネルメモリ１３４２、エリア別チャンネルメモリ１３４３、又は天気別チャンネルメモリ１３４４に記憶された伝送路の伝送状態に対応する探索チャンネルについてのみスキャンを行う。
具体的には、ＣＰＵ１３１は、判断プログラム１３５ｅの実行により伝送状態が変化したと判断すると、チューナ３に選局指示信号を出力して所定の周波数帯における探索チャンネルを順次選局させ、探索チャンネルの中から、放送信号を受信可能なチャンネルを検出するチャンネルスキャン処理を行う。
ＣＰＵ１３１は、かかる検出プログラム１３５ｆを実行することにより、検出手段として機能する。
【００５２】
更新プログラム１３５ｇは、例えば、ＣＰＵ１３１に、検出プログラム１３５ｆの実行による検出結果に基づいて、時刻別チャンネルメモリ１３４２又はエリア別チャンネルメモリ１３４３若しくは天気別チャンネルメモリ１３４４に記憶された、当該伝送路の伝送状態に対応するチャンネル情報を更新する機能を実現させるためのプログラムである。
具体的には、ＣＰＵ１３１は、検出プログラム１３５ｆの実行において、探索チャンネルについて、放送信号が受信可能であるか否かを検出し、探索チャンネルのうちから受信可能なチャンネルが検出されると、当該受信可能なチャンネルが、現在の伝送路の伝送状態に対応するチャンネル情報が記憶されたテーブル（すなわち、第１時刻テーブル１３４２ａ、第２時刻テーブル１３４２ｂ、第１エリアテーブル１３４３ａ〜第８エリアテーブル１３４３ｈ、第１天気テーブル１３４４ａ〜第４天気テーブル１３４４ｄ等）に受信「可」と登録されているか否かを判断し、受信「可」として登録されていない場合には当該チャンネルを受信「可」として記憶するとともに、探索チャンネルのうちから受信不可能なチャンネルが検出されると、当該受信不可能なチャンネルが、現在の伝送路の伝送状態に対応するチャンネル情報が記憶されたテーブルに受信「可」と登録されているか否かを判断し、受信「可」と登録されている場合には当該チャンネルを受信「不可」と記憶する。
ＣＰＵ１３１は、かかる更新プログラム１３５ｇを実行することにより、更新手段として機能する。
【００５３】
当該検出プログラム１３５ｆ、更新プログラム１３５ｇにおけるＣＰＵ１３１の処理について、より具体的に説明する。
例えば、予約設定画面Ｇ１において、ユーザにより「時刻」の項目が選択され、時刻別に変化する伝送状態に応じてチャンネルスキャン処理を行う旨の予約設定がなされた場合、時刻情報取得プログラム１３５ｂの実行により取得された時刻情報に基づく時刻がチャンネルスキャン処理を行う時刻（例えば、第２の時刻である２０：００）となって、判断プログラム１３５ｅの実行により、伝送路の伝送状態が変化したと判断されると、ＣＰＵ１３１は、現在の時刻において受信可能なチャンネル情報が記憶されたテーブル（例えば、第２時刻テーブル１３４２ｂ）を読み出し、さらに当該テーブルの中から、現在時刻において受信可能か否かが不確定なチャンネルとして予め特定された探索チャンネル（例えば、「３」、「５」、「６」）を読み出し、読み出した探索チャンネルについてのみチャンネルスキャン処理を行う。
ＣＰＵ１３１は、探索チャンネル（例えば、「３」、「５」、「６」）を探索対象とするチャンネルスキャン処理を実行することにより、「３」「６」が受信可能なチャンネルとして検出された場合には、第２時刻テーブル１３４２ｂに、「３」「６」が受信「可」と登録されているか否かを判断し、受信「可」として登録されていない場合には、チャンネル「３」「６」を受信「可」と記憶する。一方、ＣＰＵ１３１は、「５」が受信不可能なチャンネルとして検出された場合には、第２時刻テーブル１３４２ｂに「５」が受信「可」と登録されているか否かを判断し、受信「可」として登録されている場合には、「５」の項目を受信「不可」と記憶することにより第２時刻テーブル１３４２ｂを更新する。
【００５４】
次に、図４のフローチャートを参照しながら、実施形態１において、ＣＰＵ１３１により実行されるチャンネルスキャン処理について説明する。
【００５５】
ステップＳ１（判別情報取得ステップ）において、ＣＰＵ１３１は、データストリーム又はＧＰＳ情報等から、時刻情報、エリア情報又は天気情報等の判別情報を取得する。ステップＳ２（判断ステップ）において、ＣＰＵ１３１は、ステップＳ１において取得した判別情報に基づいて、時刻情報取得プログラム１３５ｂの実行により取得された時刻情報に基づく時刻が予め設定された時刻となったか、又は、エリア情報取得プログラム１３５ｃの実行により取得されたエリア情報に基づく現在のエリアが、前回のチャンネルスキャン処理が行われたエリアと異なるエリアとなったか、又は、天気情報取得プログラム１３５ｃの実行により取得された天気情報に基づく現在の天気が、前回のチャンネルスキャン処理実行時の天気と異なる天気となったかを判断することにより、伝送路の伝送状態が変化したか否かを判断する。ＣＰＵ１３１は、ステップＳ２において、伝送路の伝送状態が変化していないと判断すると（ステップＳ２；Ｎｏ）、ステップＳ３において、所定時間が経過したか否かを判断し、所定時間が経過したと判断すると（ステップＳ３；Ｙｅｓ）、ステップＳ１に戻って以上の処理を繰り返す。
一方、ＣＰＵ１３１は、ステップＳ２において、伝送路の伝送状態が変化したと判断すると（ステップＳ２；Ｙｅｓ）、ステップＳ４において、視聴者が放送番組を視聴中か否かを判断する。ＣＰＵ１３１は、ステップＳ４において、視聴者が放送番組を視聴中であると判断すると（ステップＳ４；Ｙｅｓ）、所定時間が経過したか否かを判断し（ステップＳ５）、所定時間が経過したと判断すると（ステップＳ５；Ｙｅｓ）、ステップＳ１に戻って以上の処理を繰り返す。
【００５６】
一方、ＣＰＵ１３１は、ステップＳ４において、視聴者が放送番組を視聴中でないと判断すると（ステップＳ４；Ｎｏ）、ステップＳ６において、現在の伝送状態において受信可能なチャンネル情報が記憶されたテーブルを読み出し、さらに、現在の伝送状態では受信可能か否かが不確定なチャンネルとして予め特定された探索チャンネルを読み出す（ステップＳ７）。ＣＰＵ１３１は、ステップＳ８（検出ステップ）において、読み出した探索チャンネルのみを探索対象とするチャンネルスキャン処理を行い、以下のステップＳ９〜ステップＳ１４の更新ステップに移行して、ステップＳ９において、ステップＳ８のチャンネルスキャン処理において、探索チャンネルのうちから、受信可能なチャンネルが検出されたか否かを判断する。ＣＰＵ１３１は、ステップＳ９において、受信可能なチャンネルが検出されないと判断すると（ステップＳ９；Ｎｏ）、ステップＳ１２に進む。
一方、ＣＰＵ１３１は、ステップＳ９において、探索チャンネルのうちから、受信可能なチャンネルが検出されたと判断すると（ステップＳ９；Ｙｅｓ）、当該受信可能なチャンネルが、現在の伝送状態において受信可能なチャンネル情報が記憶されたテーブルに受信「可」として登録されているか否かを判断し（ステップＳ１０）、受信「可」として登録されている場合には（ステップＳ１０；Ｙｅｓ）、ステップＳ１２に進み、一方、受信可能なチャンネルが当該テーブルに受信「可」として登録されていない場合には（ステップＳ１０；Ｎｏ）、当該チャンネルを受信「可」としてテーブルに記憶する（ステップＳ１１）。続いて、ＣＰＵ１３１は、ステップＳ１２において、ステップＳ８のチャンネルスキャン処理において探索チャンネルのうちから、受信不可能なチャンネルが検出されたか否かを判断する。ＣＰＵ１３１は、ステップＳ１２において、受信不可能なチャンネルが検出されないと判断すると（ステップＳ１２；Ｎｏ）、本処理を終了し、一方、受信不可能なチャンネルが検出されたと判断すると（ステップＳ１２；Ｙｅｓ）、ステップＳ１３において、当該受信不可能なチャンネルが受信「可」としてテーブルに登録されているか否かを判断する。ＣＰＵ１３１は、ステップＳ１３において、受信不可能なチャンネルが受信「可」としてテーブルに登録されていないと判断すると（ステップＳ１３；Ｎｏ）、本処理を終了し、一方、受信不可能なチャンネルが受信「可」としてテーブルに登録されていると判断すると（ステップＳ１３；Ｙｅｓ）、テーブルに登録された当該チャンネルを受信「不可」として記憶することにより、テーブルを更新し（ステップＳ１４）、本処理を終了する。
【００５７】
以上説明した実施形態１におけるテレビジョン受像機１００によれば、時刻別チャンネルメモリ１３４２、エリア別チャンネルメモリ１３４３、天気別チャンネルメモリ１３４４により、放送信号を伝送する伝送路の所定の伝送状態別に、受信可能なチャンネル情報が記憶されるとともに、所定の伝送状態別に、所定のチャンネルが記憶される。また、ＣＰＵ１３１による時刻情報取得プログラム１３５ｂ、エリア情報取得プログラム１３５ｃ、天気情報取得プログラム１３５ｄの実行により、放送信号を伝送する伝送路の所定の伝送状態を判別するための判別情報が取得され、判断プログラム１３５ｅの実行により、時刻情報取得プログラム１３５ｂ、エリア情報取得プログラム１３５ｃ、天気情報取得プログラム１３５ｄにより取得された判別情報に基づいて、伝送路の伝送状態が変化したか否かが判断される。そして、ＣＰＵ１３１による検出プログラム１３５ｆの実行により、判断プログラム１３５ｅの実行により伝送路の伝送状態が変化したと判断された場合に、時刻別チャンネルメモリ１３４２、エリア別チャンネルメモリ１３４３、天気別チャンネルメモリ１３４４に記憶された当該伝送路の伝送状態に対応する所定のチャンネルについてのみオートスキャンが行われて、受信可能な放送信号のチャンネルが検出され、更新プログラム１３５ｇの実行により、検出プログラム１３５ｆの実行による検出結果に基づいて、時刻別チャンネルメモリ１３４２、エリア別チャンネルメモリ１３４３、天気別チャンネルメモリ１３４４に記憶された当該伝送路の伝送状態に対応するチャンネル情報が更新される。また、判別情報は、時刻情報、エリア情報及び天気情報を含み、判断プログラム１３５ｅの実行により、時刻情報取得プログラム１３５ｂの実行により取得された時刻情報に基づく時刻が予め設定された時刻となった場合、エリア情報取得プログラム１３５ｃの実行により取得されたエリア情報に基づくエリアが一のエリアから他のエリアとなった場合、天気情報取得プログラム１３５ｄの実行により取得された天気情報に基づく天気が一の天気から他の天気となった場合に、伝送路の伝送状態が変化したと判断される。
従って、予め設定された時刻となった場合、一のエリアから他のエリアに位置することとなった場合、又は一の天気から他の天気となった場合にチャンネルスキャン処理を行うことにより、伝送路の伝送状態が変化したときのみチャンネルスキャン処理が行われることとなって、伝送路の伝送状態に応じたより適切なタイミングでチャンネルスキャン処理を行うことができ、使い勝手の向上した放送受信装置を提供することができる。また、例えば、受信可能性が伝送状態によって異なるチャンネルについてのみチャンネルスキャン処理を行う場合には、チャンネルスキャンに要する時間を短縮することができることとなって、より効率的なチャンネルスキャン処理を行うことができる。
【００５８】
（実施形態２）
次に、本発明を適用した実施形態２について説明する。なお、実施形態１と同一部分には、同一の符号を付して説明を省略することとする。
【００５９】
本実施形態２では、放送受信装置として、テレビジョン放送番組の視聴を行うテレビジョン受像機２００について説明する。
本実施形態２におけるテレビジョン受像機２００は、実施形態１のテレビジョン受像機１００と同様に、チャンネルスキャン処理を、時刻、エリア、天気の何れかが変化したとき、即ち、伝送路の伝送状態が変化したときにのみ行うことにより、より適切なタイミングでチャンネルスキャン処理を行うことを可能とする。
特に、実施形態２では、実施形態１のように伝送路の伝送状態別にチャンネル情報を記憶せずに、チャンネルスキャン処理の度に一のチャンネル情報を更新して用いる。これにより、各伝送状態に対応するチャンネル情報を保持することなく、伝送状態に応じたチャンネルスキャン処理を行うことができる。
【００６０】
図２は、実施形態２におけるテレビジョン受像機２００の要部構成を例示するブロック図である。
図２に示すように、本テレビジョン受像機２００は、ユーザが遠隔操作によって各種指示を入力するための入力手段としてのキー入力部１と、放送信号を受信するアンテナ２と、アンテナ２により受信された放送信号から所定のチャンネルの放送信号を選局するチューナ３と、チューナ３により選局された放送信号を復調する復調部４と、復調部４により復調された放送信号を複数のストリームに分離するＴＳデコーダ５と、ＴＳデコーダ５により分離された放送信号を復号するビデオデコーダ６及びオーディオデコーダ７と、ビデオデコーダ６により復号された映像信号に対して所定の処理を行う映像処理部８と、オーディオデコーダ７により復号された音声信号に対して所定の処理を行う音声処理部９と、映像処理部８により処理された映像信号にＯＳＤデータを付加するＯＳＤ回路１０と、映像処理部８により処理された映像信号を出力する表示部１１と、音声処理部９により処理された音声信号を出力する音声出力部１２と、テレビジョン受像機２００全体を統括制御する制御部２３と、を備えており、各部はバス１４により接続されている。
【００６１】
制御部２３は、ＣＰＵ２３１、ＲＡＭ１３２、計時部１３３、ＥＥＰＲＯＭ２３４、ＲＯＭ２３５等を備えて構成されている。
【００６２】
ＣＰＵ２３１は、テレビジョン受像機２００の各部から入力された入力信号に応じて、ＲＯＭ２３５に格納された各種プログラムを実行するとともに、実行にかかるプログラムに基づく出力信号を各部に出力することにより、テレビジョン受像機２００の動作全般を統括制御する。
【００６３】
ＥＥＰＲＯＭ２３４は、例えば、書き換え可能な半導体メモリであり、具体的には、予約情報格納メモリ１３４１、チャンネルメモリ２３４ａ、等を備えている。
【００６４】
チャンネルメモリ２３４ａは、例えば、受信可能なチャンネル情報を記憶し、記憶手段として機能する。
図６は、チャンネルメモリ２３４ａを例示する図である。
図６に示すように、チャンネルメモリ２３４ａは、放送番組のチャンネル（物理チャンネル）と、チャンネルスキャン処理により確定された当該チャンネルの周波数データとを対応付けて記憶しており、受信の可／不可を示す項目において、受信可能なチャンネルは受信「可」と記憶され、一方、受信不可能なチャンネルは受信「不可」と記憶されている。
【００６５】
ＲＯＭ２３５は、ＣＰＵ２３１によって実行される各種データ処理プログラムの他、データ処理プログラムに係る各種初期設定値等を格納する。具体的には、ＲＯＭ２３５は、チャンネルスキャン予約設定プログラム１３５ａ、時刻情報取得プログラム１３５ｂ、エリア情報取得プログラム１３５ｃ、天気情報取得プログラム１３５ｄ、判断プログラム２３５ｅ、検出プログラム２３５ｆ、更新プログラム２３５ｇ、等の制御プログラムを格納している。
【００６６】
検出プログラム２３５ｆは、例えば、ＣＰＵ２３１に、判断プログラム２３５ｅの実行により伝送状態が変化したと判断された場合に、チャンネルのオートスキャン処理を行い、受信可能な放送信号のチャンネルを検出する機能を実現させるためのプログラムである。
具体的には、ＣＰＵ２３１は、判断プログラム２３５ｅの実行により伝送状態が変化したと判断すると、チューナ３に選局指示信号を出力して所定の周波数帯におけるチャンネルを順次選局させ、当該チャンネルの中から、放送信号を受信可能なチャンネルを検出するチャンネルスキャン処理を行う。
ＣＰＵ２３１は、かかる検出プログラム２３５ｆを実行することにより、検出手段として機能する。
【００６７】
更新プログラム２３５ｇは、例えば、ＣＰＵ２３１に、検出プログラム２３５ｆの実行による検出結果に基づいて、チャンネルメモリ２３４ａのチャンネル情報を更新する機能を実現させるためのプログラムである。
具体的には、ＣＰＵ２３１は、検出プログラム２３５ｆの実行において、所定の周波数帯のチャンネルについて、放送信号が受信可能であるか否かを検出し、受信可能なチャンネルが検出されると、当該受信可能なチャンネルを受信「可」として記憶するとともに、受信不可能なチャンネルが検出されると、当該受信不可能なチャンネルを受信「不可」として記憶する。
ＣＰＵ２３１は、かかる更新プログラム２３５ｇを実行することにより、更新手段として機能する。
【００６８】
当該検出プログラム２３５ｆ、更新プログラム２３５ｇにおけるＣＰＵ２３１の処理について、より具体的に説明する。
例えば、予約設定画面Ｇ１において、ユーザにより「エリア」の項目が選択され、エリア別に変化する伝送状態に応じてチャンネルスキャン処理を行う旨の予約設定がなされた場合、エリア情報取得プログラム１３５ｃの実行により取得されたエリア情報に基づくエリアが、前回のチャンネルスキャン処理実行時のエリアと異なり、判断プログラム２３５ｅの実行により、伝送路の伝送状態が変化したと判断されると、ＣＰＵ２３１は、所定の周波数帯のチャンネル（例えば、「１」〜「６２」のチャンネル）についてチャンネルスキャン処理を行う。ＣＰＵ２３１は、所定周波数帯のチャンネル（例えば、「１」〜「６２」）を探索対象とするチャンネルスキャン処理を実行することにより、受信可能なチャンネルが検出された場合には、当該チャンネルについて、チャンネルメモリ２３４ａにおける受信可／不可の項目を、受信「可」と記憶する。一方、ＣＰＵ２３１は、受信不可能なチャンネルが検出された場合には、当該チャンネルについて、チャンネルメモリ２３４ａにおける受信可／不可の項目を受信「不可」と記憶する
【００６９】
次に、図７のフローチャートを参照しながら、実施形態２において、ＣＰＵ２３１により実行されるチャンネルスキャン処理について説明する。
【００７０】
ステップＳ２１（判別情報取得ステップ）において、ＣＰＵ２３１は、データストリーム又はＧＰＳ情報等から、時刻情報、エリア情報又は天気情報等の判別情報を取得する。ステップＳ２２（判断ステップ）において、ＣＰＵ２３１は、ステップＳ２１において取得した判別情報に基づいて、時刻情報取得プログラム１３５ｂの実行により取得された時刻情報に基づく時刻が予め設定された時刻となったか、又は、エリア情報取得プログラム１３５ｃの実行により取得されたエリア情報に基づく現在のエリアが、前回のチャンネルスキャン処理が行われたエリアと異なるエリアとなったか、又は、天気情報取得プログラム１３５ｄの実行により取得された天気情報に基づく現在の天気が、前回のチャンネルスキャン処理実行時の天気と異なる天気となったかを判断することにより、伝送路の伝送状態が変化したか否かを判断する。ＣＰＵ２３１は、ステップＳ２２において、伝送路の伝送状態が変化していないと判断すると（ステップＳ２２；Ｎｏ）、ステップＳ２３において、所定時間が経過したか否かを判断し、所定時間が経過したと判断すると（ステップＳ２３；Ｙｅｓ）、ステップＳ２１に戻って以上の処理を繰り返す。
一方、ＣＰＵ２３１は、ステップＳ２２において、伝送路の伝送状態が変化したと判断すると（ステップＳ２２；Ｙｅｓ）、ステップＳ２４において、視聴者が放送番組を視聴中か否かを判断する。ＣＰＵ２３１は、ステップＳ２４において、視聴者が放送番組を視聴中であると判断すると（ステップＳ２４；Ｙｅｓ）、所定時間が経過したか否かを判断し（ステップＳ２５）、所定時間が経過したと判断すると（ステップＳ２５；Ｙｅｓ）、ステップＳ２１に戻って以上の処理を繰り返す。
【００７１】
一方、ＣＰＵ２３１は、ステップＳ２４において、視聴者が放送番組を視聴中でないと判断すると（ステップＳ２４；Ｎｏ）、ステップＳ２６（検出ステップ）において、所定周波数帯のチャンネルを探索対象とするチャンネルスキャン処理を行い、以下のステップＳ２７〜ステップＳ３０の更新ステップに移行して、ステップＳ２７において、ステップＳ２６のチャンネルスキャン処理において、受信可能なチャンネルが検出されたか否かを判断する。ＣＰＵ２３１は、ステップＳ２７において、受信可能なチャンネルが検出されないと判断すると（ステップＳ２７；Ｎｏ）、ステップＳ２９に進む。
一方、ＣＰＵ２３１は、ステップＳ２７において、所定周波数帯のチャンネルのうちから、受信可能なチャンネルが検出されたと判断すると（ステップＳ２７；Ｙｅｓ）、当該受信可能なチャンネルを受信「可」としてチャンネルメモリ２３４ａに記憶する（ステップＳ２８）。続いて、ＣＰＵ２３１は、ステップＳ２９において、ステップＳ２６のチャンネルスキャン処理において、受信不可能なチャンネルが検出されたか否かを判断する。ＣＰＵ２３１は、ステップＳ２９において、受信不可能なチャンネルが検出されないと判断すると（ステップＳ２９；Ｎｏ）、本処理を終了し、一方、受信不可能なチャンネルが検出されたと判断すると（ステップＳ２９；Ｙｅｓ）、ステップＳ３０において、当該受信不可能なチャンネルを受信「不可」として記憶して、チャンネルメモリ２３４ａを更新し、本処理を終了する。
【００７２】
以上説明した実施形態２におけるテレビジョン受像機２００によれば、チャンネルメモリ２３４ａにより受信可能なチャンネル情報が記憶され、ＣＰＵ２３１による時刻情報取得プログラム１３５ｂ、エリア情報取得プログラム１３５ｃ、天気情報取得プログラム１３５ｄの実行により、放送信号を伝送する伝送路の所定の伝送状態を判別するための判別情報が取得され、判断プログラム２３５ｅの実行により、時刻情報取得プログラム１３５ｂ、エリア情報取得プログラム１３５ｃ、天気情報取得プログラム１３５ｄにより取得された判別情報に基づいて、伝送路の伝送状態が変化したか否かが判断される。そして、ＣＰＵ２３１による検出プログラム２３５ｆの実行により、判断プログラム２３５ｅの実行により伝送路の伝送状態が変化したと判断された場合に、所定周波数帯のチャンネルについてオートスキャンが行われて、受信可能な放送信号のチャンネルが検出され、更新プログラム２３５ｇの実行により、検出プログラム２３５ｆの実行による検出結果に基づいて、チャンネルメモリ２３４ａに記憶された当該伝送路の伝送状態に対応するチャンネル情報が更新される。また、判別情報は、時刻情報、エリア情報及び天気情報を含み、判断プログラム２３５ｅの実行により、時刻情報取得プログラム１３５ｂの実行により取得された時刻情報に基づく時刻が予め設定された時刻となった場合、エリア情報取得プログラム１３５ｃの実行により取得されたエリア情報に基づくエリアが一のエリアから他のエリアとなった場合、天気情報取得プログラム１３５ｄの実行により取得された天気情報に基づく天気が一の天気から他の天気となった場合に、伝送路の伝送状態が変化したと判断される。
従って、予め設定された時刻となった場合、一のエリアから他のエリアに位置することとなった場合、又は一の天気から他の天気となった場合にチャンネルスキャン処理を行うことにより、伝送路の伝送状態が変化したときのみチャンネルスキャン処理が行われることとなって、伝送路の伝送状態に応じて、より適切なタイミングでチャンネルスキャン処理を行うことができ、使い勝手の向上した放送受信装置を提供することができる。
【００７３】
なお、本発明は、上記実施の形態に限られることなく、本発明の趣旨を逸脱しない範囲において、種々の改良並びに設計の変更を行っても良い。
本発明の放送受信装置は、例えば、自動車等の車載機器として備えられる構成であってもよい。
また、チューナ等を複数備えた場合には、図４のステップＳ４のような判断をすることなく、即ち、視聴者が視聴中か否かにかかわらず、伝送路の伝送状態が変化した場合にチャンネルスキャンを行っても良い。
また、伝送状態が変化したと判断された場合であっても、前回のチャンネルスキャンから所定の時間（例えば、３日間）が経過するまでは、チャンネルのオートスキャン処理を実行しない構成であっても良い。
また、伝送状態が変化したと判断するための条件は、時刻情報、エリア情報、天気情報のうち何れか一つの判断情報に基づくものであっても良いし、これらの判断情報の組み合わせに基づいて伝送状態が変化したか否かを判断しても良い。
【図面の簡単な説明】
【００７４】
【図１】実施形態１におけるテレビジョン受像機の要部構成を例示するブロック図である。
【図２】時刻別チャンネルメモリに備わる第１時刻テーブル（図２（ａ））と、第２時刻テーブル（図２（ｂ））を例示する図である。
【図３】チャンネルスキャン予約設定プログラムの実行に際して、表示部に表示される予約設定画面を例示する図である。
【図４】実施形態１において、ＣＰＵにより実行されるチャンネルスキャン処理を示すフローチャートである。
【図５】実施形態２におけるテレビジョン受像機の要部構成を例示するブロック図である。
【図６】チャンネルメモリを例示する図である。
【図７】実施形態２において、ＣＰＵにより実行されるチャンネルスキャン処理を示すフローチャートである。
【符号の説明】
【００７５】
１００、２００          テレビジョン受像機（放送受信装置）
１３１、２３１          ＣＰＵ（判別情報取得手段、判断手段、検出手段、更新手段）
１３４２                時刻別チャンネルメモリ（記憶手段）
１３４２ａ              第１時刻メモリ（チャンネル記憶手段）
１３４２ｂ              第２時刻メモリ（チャンネル記憶手段）
１３４３                エリア別チャンネルメモリ（記憶手段）
１３４３ａ〜１３４３ｈ  第１エリアメモリ〜第８エリアメモリ（チャンネル記憶手段）
１３４４                天気別チャンネルメモリ（記憶手段）
１３４４ａ〜１３４４ｄ  第１天気メモリ〜第４天気メモリ（チャンネル記憶手段）
２３４ａ                チャンネルメモリ（記憶手段）
１３５ｂ                時刻情報取得プログラム（判別情報取得手段）
１３５ｃ                エリア情報取得プログラム（判別情報取得手段）
１３５ｄ                天気情報取得プログラム（判別情報取得手段）
１３５ｅ、２３５ｅ      判断プログラム（判断手段）
１３５ｆ、２３５ｆ      検出プログラム（検出手段）
１３５ｇ、２３５ｇ      更新プログラム（更新手段）
【図１】
2008005410.tif 000003
【図２】
2008005410.tif 000004
【図３】
2008005410.tif 000005
【図４】
2008005410.tif 000006
【図５】
2008005410.tif 000007
【図６】
2008005410.tif 000008
【図７】
2008005410.tif 000009